(57)【要約】【課題】文字または模様の組み合わせにて、表示可能とした装飾変化にて、興趣性を有するとともに構成する部材の取り替えも容易とした下げ飾り装身具を提供する。【解決手段】弾性体であるコイルバネ２を有する弾性棒３にて外側部材４に組み込みできる内側部材５とよりなる一対の下げ飾り装身具１であり、外側部材４は、紐状体を挿通する下げ飾り孔６と、内側に輪状の抜き孔７と、該抜き孔７の内周面に、周方向に沿って連続した窪み部９を有する環状溝８を設けるとともに外側の側面１１より当該抜き孔７に貫通する貫通孔１０、１０ａを設けて形成、内側部材５は、前記輪状の抜き孔７にて周方向に回転可能として、外周面より内側方向に前記弾性棒３、３ａ、３ｂを収納する収納孔１３、１３ａ、１３ｂを設けて形成、以上の構成からしてなるものである。【選択図】図１
0003116670.tif 000002
【実用新案登録請求の範囲】
【請求項１】
弾性体であるコイルバネを有する弾性棒にて外側部材に組み込みできる内側部材とよりなる一対の下げ飾り装身具であり、外側部材は、紐状体を挿通する下げ飾り環または孔と、内側に輪状の抜き孔と、該抜き孔の内周面に周方向に沿って環状溝または窪み部を有する環状溝を設けるとともに外側の側面より当該抜き孔に貫通する貫通孔を複数個設けて形成、
内側部材は、前記輪状の抜き孔にて周方向に回転可能として、外側の面より内側方向に前記弾性棒を収納する収納孔を複数個設けて形成、
そして前記内側部材に設けた収納孔にコイルバネを有する弾性棒を配するとともに前記外側部材に設けた輪状の抜き孔に当該内側部材を配して組み込むことにより、前記弾性棒が前記抜き孔の内周面に設けた環状溝に嵌り込んで内側部材を周方向に回転可能とすることを特徴とする下げ飾り装身具。
【請求項２】
内側部材を回転させて、外側部材に対して該内側部材を所定の位置にすることにより、外側部材と内側部材に設けた文字または模様の組み合わせにて、メッセージまたは図形を表示可能とすることを特徴とする請求項１記載の下げ飾り装身具。
【請求項３】
外側部材と内側部材の色は、同色又は異なる色としたことを特徴とする請求項１または請求項２に記載の下げ飾り装身具。
【請求項４】
前記外側部材と前記内側部材を取り替え可能とすることを特徴とする請求項１乃至請求項３のいずれかに記載の下げ飾り装身具。
【考案の詳細な説明】
【技術分野】
【０００１】
本考案は、外側部材と内側部材と弾性体を有する弾性棒から構成され、該弾性棒にて内側部材を周方向に回転可能とする下げ飾り装身具に関するものである。
【背景技術】
【０００２】
従来、下げ飾り装身具として代表されるチェーンに下げ飾るための孔または下げ飾り環を有して十字架またはハート形等を形成したもの、また該十字架等に宝石を石留めして装飾性をもたせたペンダントが一般的である。（例えば非特許文献１参照。）。
【０００３】
しかしながら、上記のペンダントを含めた下げ飾り装身具は固定された装飾デザイン構成とされていのものが多く、遊び心をくすぐるには乏しいものであった。
その中で、上記を改善するペンダントとして、２個以上の分割部分を有し、各分割部分がそれぞれ固有の装飾効果を有すると共に、各分割部分を一体とした場合には、当該一体形成による装飾効果を有することができる分割タイプのペンダントがある（例えば特許文献１参照。）。
【０００４】
また、金属輪状の本体に透明合成樹脂板の重なり合う部分の絵の面に透明接着剤を使用して、裏面側となる透明合成樹脂板を接着し金属本体と一体とし、絵のある合成樹脂は、自由に回転方向に画面を動かす装飾品がある（（例えば特許文献２参照。）。
【０００５】
前記文献の要旨として、前記特許文献１のペンダントは、２個以上の分割部分を有して、分割または各分割部分を一体形成としての装飾効果であり、前記特許文献２の画面を動かす装飾品は、描かれた絵そのものが周方向に回転する装飾効果であり、文字や模様の組み合わせにて、表示可能とする装飾効果と比較すれば遊び心をくすぐるには乏しいものである。
【０００６】
【非特許文献１】砂川一郎，「ジュエリーコーディネーター検定３級」，２００２年９月，ｐ.２０１−２０２
【特許文献１】特開２００２−１３６３１３号公報
【特許文献２】登録実用新案第３０１８２１７号公報
【考案の開示】
【考案が解決しようとする課題】
【０００７】
前記事項を鑑み解決しようとする問題点は、文字または模様の組み合わせにて、表示可能とした装飾変化にて、興趣性を有するとともに構成する部材の取り替えも容易とした下げ飾り装身具を提供する。
【課題を解決するための手段】
【０００８】
上記課題を解決するために、請求項１に係る考案は、弾性体であるコイルバネを有する弾性棒にて外側部材に組み込みできる内側部材とよりなる一対の下げ飾り装身具であり、外側部材は、紐状体を挿通する下げ飾り環または孔と、内側に輪状の抜き孔と、該抜き孔の内周面に周方向に沿って環状溝または窪み部を有する環状溝を設けるとともに外側の側面より当該抜き孔に貫通する貫通孔を複数個設けて形成、内側部材は、前記輪状の抜き孔にて周方向に回転可能として、外周面より内側方向に前記弾性棒を収納する収納孔を複数個設けて形成、そして前記内側部材に設けた収納孔にコイルバネを有する弾性棒を配するとともに前記外側部材に設けた輪状の抜き孔に当該内側部材を配して組み込むことにより、前記弾性棒が前記抜き孔の内周面に設けた環状溝に嵌り込んで内側部材を周方向に回転可能とすることを特徴とする。
【０００９】
また、請求項２に係る考案は、前記下げ飾り装身具において、内側部材を回転させて、外側部材に対して該内側部材を所定の位置にすることにより、外側部材と内側部材に設けた文字または模様の組み合わせにて、メッセージまたは図形を表示可能とするものである。
【００１０】
また、請求項３に係る考案は、請求項１または請求項２に記載の下げ飾り装身具において、外側部材と内側部材の色は、同色又は異なる色としたものである。
【００１１】
また、請求項４に係る考案は、 請求項１乃至請求項３のいずれかに記載の下げ飾り装身具において、前記外側部材と前記内側部材を取り替え可能とするものである。
【考案の効果】
【００１２】
以上述べたように、弾性棒が抜き孔の内周面に設けた環状溝に嵌り込んで内側部材を外側部材より抜け出ることを防止するとともに窪み部を有する環状溝とすることで周方向に回転及び任意の場所にて停止可能な量産対応できる単純機構とすることができた。
【００１３】
また、上記内側部材を周方向に回転可能とする機構にて外側部材と内側部材に設けた文字または模様の組み合わせにてメッセージや図形を表示可能としたことにより、装飾変化が得られることによる興趣性を有する装身具となった。
【００１４】
また、外側部材と内側部材の色を同色又は異なる色としたことにより、装飾性を向上させることができた。
【００１５】
さらに、外側部材外側の側面より抜き孔に貫通する貫通孔に押し棒を挿入して押し込むことにより、弾性棒が環状溝より外れて内側部材の取り替えを可能として、外側部材と内側部材の組み合わせ変更および修理対応も容易とした商品を提供することができた。
【考案を実施するための最良の形態】
【００１６】
以下、本考案の目的である周方向に回転する機構を実現し装飾変化にて興趣性を有した実施形態は、図面を用いて詳細に説明する。
【００１７】
図１〜図３は、下げ飾り装身具の実施例を示す図１正面図、図２右側面図、図３切り欠き拡大正面図であり、略ハート状に形成させた外側部材４は、紐状体を挿通する孔６と、内側に輪状の抜き孔７と、該抜き孔７の内周面に周方向に沿って窪み部９を有する環状溝８を設けるとともに外側の側面１１より輪状の抜き孔７に貫通する貫通孔１０を２個設けて形成した。
【００１８】
円状に形成した内側部材５は、輪状の抜き孔７の直径より０.１ｍｍ小さい直径として輪状の抜き孔７に配置可能として、外周面より内側方向にコイルバネ２を有する弾性棒３を収納する収納孔１３、１３ａ、１３ｂの３個を設けて形成した。
【００１９】
前記の外側部材４の表面には、Ｉ  Ｌｏｖｅの文字を、内側部材５の表面には、ｙｏｕと、ｆｒｉｅｎｄと、ｆａｍｉｌｙの文字を施すとともに中心位置に宝石１６を石留めして、そして内側部材５に設けた収納孔１３、１３ａ、１３ｂにコイルバネ２を有する弾性棒３、３ａ、３ｂを配するとともに外側部材５に設けた輪状の抜き孔７に内側部材５を組み込むことにより、弾性棒３、３ａ、３ｂが輪状の抜き孔７の内周面に設けた環状溝８にコイルバネ２、２ａ、２ｂの弾性により嵌り込んで内側部材５を周方向に回転可能とするとともに環状溝８に設けた１８個のいずれかの窪み部９に、弾性棒３、３ａ、３ｂが嵌り込んだ状態にすることにより任意の位置にて停止させることができる。
【００２０】
図４は、図１に示すＩ  Ｌｏｖｅ  ｙｏｕを表示した状態より、内側部材５を周方向に回転させ弾性棒３、３ａ、３ｂが窪み部９と不嵌合となった状態を示し、それより内側部材５を回転させることにより、Ｉ  Ｌｏｖｅ  ｆａｍｉｌｙまたはＩ  Ｌｏｖｅ  ｆｒｉｅｎｄの各メッセージの表示をすることができる。
【００２１】
実施にあたっては、環状溝８に窪み部９を複数個設けたが、本考案は数において限定するものでは無く、また、窪み部９を設けない機構としても良い。
【００２２】
図５（ａ）は、外側部材４の裏面には、輪状の抜き孔７の円周にハートを形成する部分を分割させて模様を施し、内側部材５の裏面には、ハートを形成する一部分の模様を施すとともに適宜位置に宝石１６，１６ａ、１６ｂ、１６ｃを石留めし、外側部材４と内側部材５にてハートの図形を表示し、図５（ｂ）は、ハート図形を表示した状態より、内側部材５を周方向に１８０℃回転させることにより、熊の顔とした図形を表示することができる。
【００２３】
本考案の下げ飾り装身具の特徴のひとつとして、全ては図示はしないが図１を参考として、外側部材４から内側部材５を取り外す場合は、外側部材４の外側の側面１１、１１ａに設けた輪状の抜き孔７に貫通する貫通孔１０に押し棒を挿入して弾性棒３ａを押し込みながら収納孔１３ａが設けてある内側部材５の部分を周方向に対して直交する方向に押し圧することにより、環状溝８より弾性棒３ａを外すことができる。これと同じ方法にて、貫通孔１０ａに棒を挿入して弾性棒３ｂを押し込みながら収納孔１３ｂが設けてある内側部材５の部分を周方向に対して直交する方向に押し圧することにより、環状溝８より弾性棒３ｂが外れ、内側部材５を取り外すことができるため修理対応も容易とし、また、外側部材４のみにての使用も可能である。
【００２４】
また、図示はしないが文字または模様の組み合わせ及び色の組み合わせを目的とした内側部材５の表と裏を逆にし使用も可能であり、装飾変化が得られることによる興趣性を有する装身具となった。
【図面の簡単な説明】
【００２５】
【図１】下げ飾り装身具の実施例を示す正面図である。
【図２】下げ飾り装身具の実施例を示す右側面図である。
【図３】図１の外側部材を切り欠いて示した拡大正面図である。
【図４】図１の状態より内側部材を回転させて停止させた状態を示す正面図である。
【図５】内側部材を回転させて図形の変化を示す概念図である。
【符号の説明】
【００２６】
１  下げ飾り装身具
２  コイルバネ
３  弾性棒
４  外側部材
５  内側部材
６  下げ飾り孔
７  輪状の抜き孔
８  環状溝
９  窪み部
１０  貫通孔
１１  外側の側面
１２  文字
１３  収納孔
１４  文字
１５  模様  
１６  宝石
【図１】
0003116670.tif 000003
【図２】
0003116670.tif 000004
【図３】
0003116670.tif 000005
【図４】
0003116670.tif 000006
【図５】
0003116670.tif 000007